(57)【要約】【課題】ディスク上に存在する、デジタル出力不可能なコンテンツを、ＩＥＥＥ１３９４バス経由で視聴することができないという課題があった。【解決手段】コントローラはディスク上の信号形式を読み出し、デジタル伝送できない場合には自身の入力をアナログに切り替える。即ち、ＤＶＤレコーダ２００から読み出したデジタル映像音声データが、ディスクから読み出したビデオオブジェクト情報２１０から、ＳＴＢ１００のデジタル入力不可能な種類のデジタル映像音声データであったと判断された場合には、これをＩＥＥＥ１３９４バス５０１上へは出力させずに、アナログ映像音声信号へと変換してＤＶＤレコーダ２００のアナログ出力端子２０４に出力させ、該出力されるアナログ映像音声信号を、ＳＴＢ１００のアナログ入力端子１１０から入力するようにする。【選択図】　　　図１
2004032322.tif 000002
【特許請求の範囲】
【請求項１】
アナログ映像音声信号を、複数あるうちのいずれか一つの種類のデジタル映像音声データに変換して記録する記録装置と、前記記録装置が前記アナログ映像音声信号を入力する際に用いるデスティネーションプラグに対して、前記デジタル映像音声データの種類を示す信号モード識別情報を設定する記録制御装置とからなる映像音声記録システムであって、
前記記録装置は、入力したアナログ映像音声信号を、前記デスティネーションプラグに設定された前記信号モード識別情報に対応する種類のデジタル映像音声データに変換して記録するとともに、前記信号モード識別情報を、前記デジタル映像音声データに付随する情報として保存する、
ことを特徴とする映像音声記録システム。
【請求項２】
デジタル映像音声データを再生する再生装置と、
前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた、
ことを特徴とする映像音声再生システム。
【請求項３】
記録媒体上に記録されたデジタル映像音声データを再生する再生装置であって、
各々の前記デジタル映像音声データにはその信号の種類を示す信号モード識別情報が付随し、
前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力する、
ことを特徴とする再生装置。
【請求項４】
記録媒体上に記録されたデジタル映像音声データを再生する再生装置であって、
各々の前記デジタル映像音声データにはその信号の種類を示す信号モード識別情報が付随し、
前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力する再生装置と、
前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた、
ことを特徴とする映像音声再生システム。
【請求項５】
記録媒体上に記録されたデジタル映像音声データを再生する再生装置であって、
各々の前記デジタル映像音声データにはその信号の種類を示す信号モード識別情報が付随し、
前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データは、これをアナログ映像音声信号に変換してアナログ出力端子へと出力するとともに、
前記デジタル映像音声データを前記バス上へ出力するのに用いる出力プラグを出力不可能状態へと遷移させることにより前記バスへの出力を行わない、
ことを特徴とする再生装置。
【請求項６】
記録媒体上に記録されたデジタル映像音声データを再生する再生装置であって、
各々の前記デジタル映像音声データにはその信号の種類を示す信号モード識別情報が付随し、
前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、
前記デジタル映像音声データを前記バス上へ出力するのに用いる出力プラグを出力不可能状態へと遷移させることにより前記バスへの出力を行わない再生装置と、
前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた、
ことを特徴とする映像音声再生システム。
【発明の詳細な説明】
【０００１】
【発明の属する技術分野】
本発明は、ディジタルインターフェースを介してディスク、テープ等の記録再生機器を制御する映像音声記録再生システム、及び再生装置に関するものである。
【０００２】
【従来の技術】
近年、シリアル伝送方式としてＩＥＥＥ（Ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ，　Ｉｎｃ．）１３９４方式が注目されている。ＩＥＥＥ１３９４方式は、従来のＳＣＳＩ（ｓｍａｌｌ　ｃｏｍｐｕｔｅｒ　ｓｙｓｔｅｍ　ｉｎｔｅｒｆａｃｅ）方式等によるコンピュータデータの伝送に代わって用いることができるだけではなく、音声や映像などのＡＶデータの伝送にも用いることができる。これはＩＥＥＥ１３９４方式では、非同期通信と等時性通信の２つの通信方法が定義されているからである。等時性通信は、ＡＶデータのような実時間性が要求されるデータの伝送に用いることができるデータ伝送方法である。等時性通信では、伝送の開始に先立って、データを伝送するのに必要な帯域を取得する。そして、その帯域を使ってデータの伝送を行う。これにより、データ伝送の実時間性が保証される。一方、非同期通信は、コンピュータデータの伝送のような、実時間性が要求されないデータの伝送や機器制御に用いられる伝送方法である。以下、本発明においては、機器制御に用いられるコマンドの授受は全てこの非同期通信を用いて行うことを前提として説明する。
【０００３】
ＩＥＥＥ１３９４上の伝送プロトコルとして、種々の方法が提案されているが、そのうちの一つとして、ＡＶプロトコルと呼ばれるものがある。ＡＶプロトコルは、ＩＥＣ（Ｉｎｔｅｒｎａｔｉｏｎａｌ　Ｅｌｅｃｔｒｏｔｅｃｈｎｉｃａｌ　Ｃｏｍｍｉｓｓｉｏｎ）６１８８３として規格化されており、実時間性が必要となるＡＶデータを等時性通信で送受信する方法、機器に与えるコマンドを非同期通信で送受信する方法、等が規定されている。
【０００４】
さて、ＩＥＣ−６１８８３規格では、コンパクトディスク（以下、ＣＤ）やミニディスク（以下、ＭＤ）などのＡＶ用再生機器、記録再生機器で、ＡＶデータの入出力を扱うために、出力プラグおよび入力プラグと呼ばれる概念を用いる。プラグは、ＡＶ装置間の仮想的な接続端子であり、等時性通信データの送受信を司る。なお、複数の機能を一体化した複合装置では、それぞれの機能単位ごとにプラグを持つこともある。たとえば、ＣＤラジカセは、ＣＤプレーヤ、チューナ（ラジオ）、カセットテープレコーダという機能単位が複合されていると考える。このような機器では、機能単位ごとに、等時性通信データの入出力を司るプラグをもつことがある。機能単位に属するプラグには、外部からのデータの受け入れを行うデスティネーションプラグと、外部へデータを送り出すソースプラグの２つがある。これらのプラグには、その属性や動作状態がある。しかし、前述のＡＶプロトコルでは、これらのプラグに関する情報を扱う方法が規定されていない。これらの情報をリスト構造で保持する方法、およびそのリストを外部からアクセスする方法は、ＩＥＥＥ１３９４トレード・アソシエーション（以下、ＴＡ）における　ＡＶ／Ｃ　ＤＩＳＣ　Ｓｕｂｕｎｉｔ　Ｇｅｎｅｒａｌ　Ｓｐｅｃｉｆｉｃａｔｉｏｎ（ｖｅｒｓｉｏｎ１．０　Ｊａｎｕａｒｙ　２６，　１９９９）　規格、およびその拡張である　ＡＶ／Ｃ　Ｄｉｓｃ　Ｓｕｂｕｎｉｔ　Ｅｎｈａｎｃｅｍｅｎｔｓ　ｆｏｒ　Ｈａｒｄ　Ｄｉｓｋ　Ｄｒｉｖｅ　Ｓｐｅｃｉｆｉｃａｔｉｏｎ　規格として定義されている。
【０００５】
図４は、従来の記録再生システムにおいてＡＶ信号をディスク装置に記録または再生させる動作を表す図である。ＳＴＢ（セットトップボックス）１００とＤＶＤレコーダ２００とはＩＥＥＥ１３９４バス５０１で接続されている。また、ＳＴＢ１００のアナログ信号出力１０８は、ＴＶ５００のアナログ入力端子５０２に接続されている。ＳＴＢ１００には内部に、ＢＳデジタル放送を受信するチューナサブユニット１０９がある。アンテナ入力端子１０３はＳＴＢが外部のＢＳアンテナからのアンテナ信号を入力するための端子であり、チューナサブユニット１０９のアンテナ入力１０４に接続されている。チューナサブユニット１０９はアンテナ入力１０４からアンテナ信号を入力し、これをデコードしたＡＶ信号をアナログ出力１０５とソースプラグ１０７の両方またはどちらか一方に出力する。アナログ出力１０５はアナログ信号出力端子１０８に接続されている。出力プラグ１０１および入力プラグ１０２は、ＳＴＢ１００とＩＥＥＥ１３９４バス５０１とを結ぶ論理的な仮想プラグであり、ＩＥＣ−６１８８３規格で定義されているＯｕｔｐｕｔ　Ｐｌｕｇ　Ｃｏｎｔｒｏｌ　Ｒｅｇｉｓｔｅｒ　および　Ｉｎｐｕｔ　Ｐｌｕｇ　Ｃｏｎｔｒｏｌ　Ｒｅｇｉｓｔｅｒ　である。ＳＴＢ１００はＩＥＥＥ１３９４バス５０１との間の等時性通信信号の授受をこのプラグ群を用いて行う。ＳＴＢ１００とＩＥＥＥ１３９４バス５０１との実体としての接続は、物理的なケーブル（図示せず）を用いて行われている。チューナサブユニット１０９はデジタル入出力端子としてソースプラグ１０７およびデスティネーションプラグ１０６をもつ。
【０００６】
ＤＶＤレコーダ２００には内部にディスクサブユニット２０７がある。出力プラグ２０１，入力プラグ２０２，ソースプラグ２０５およびデスティネーションプラグ２０６は、ＳＴＢ１００における出力プラグ１０１，入力プラグ１０２，ソースプラグ１０７およびデスティネーションプラグ１０６と同様であるので説明を省略する。ＤＶＤレコーダ２００に挿入されたＤＶＤディスク２０８には、ディスク上のコンテンツ情報を記録しておくための領域であるコンテンツリスト２０９があり、ディスク上に記録されているコンテンツはすべてこのコンテンツリスト２０９上にリスト上のオブジェクトとして表現されている。たとえば映像音声データは、ビデオオブジェクト２１２としてコンテンツリスト２０９上に登録されている。コンテンツリスト２０９上の各々のオブジェクトには、そのオブジェクトに関する各種の情報を記録しておくためのオブジェクト情報を持っており、たとえばビデオオブジェクト２１２にはビデオオブジェクト情報２１０が記録されている。ビデオオブジェクト情報２１０上に記録されている情報の例として、ビデオオブジェクト２１２の信号形式をあらわすビデオシグナル情報２１１があり、ここにはビデオオブジェクト２１２がどのような信号形式で記録されているかが記録されている。
【０００７】
ＳＴＢ１００が、自身の出力するＡＶ信号をＤＶＤレコーダ２００に記録させる場合の動作を以下に示す。ＳＴＢ１００はアンテナ入力１０４から入力したアンテナ信号をデコードし、ＭＰＥＧ２−ＴＳ　形式の信号としてソースプラグ１０７および出力プラグ１０１を介してＩＥＥＥ１３９４バス５０１へと出力している。ＳＴＢ１００はＤＶＤレコーダ２００に対し、接続コマンド（図示せず）を送信することにより、ＤＶＤレコーダ２００の入力プラグ２０２とディスクサブユニット２０７のデスティネーションプラグ２０６とを接続させる。次にＳＴＢ１００は、デスティネーションプラグ２０６に対してコンフィギュアコマンド（図示せず）を送信することにより、デスティネーションプラグ２０６から入力させる信号の種類をデスティネーションプラグ２０６に設定する。具体的には、ＳＴＢ１００が出力しているＡＶ信号の種類がＭＰＥＧ２−ＴＳであるので、デスティネーションプラグ２０６には信号の種類としてＭＰＥＧ２−ＴＳを設定する。次にＳＴＢ１００がデスティネーションプラグ２０６に対して記録コマンド（図示せず）を送信すると、ディスクサブユニット２０７はデスティネーションプラグ２０６から入力しているＭＰＥＧ２−ＴＳ信号をＤＶＤディスク２０８上へ記録開始する。この記録を開始する際、ディスクサブユニット２０７はコンテンツリスト２０９にビデオオブジェクト２１２を新規に１つ追加することにより、新しいコンテンツがＤＶＤディスク２０８上に録画されることを記録する。ビデオオブジェクト２１２にはその属性情報としてビデオオブジェクト情報２１０が付随し、このビデオオブジェクト情報もまたＤＶＤディスク２０８への記録開始時に記録される。ビデオオブジェクト情報２１０の中には、ビデオオブジェクト２１２の信号の種類を記録しておくビデオシグナル情報２１１があり、これもまたＤＶＤディスク２０８への録画開始時に記録される。ここでは具体的には、ＭＰＥＧ２−ＴＳ　という信号種類が記録される。以上のようにして、ＳＴＢ１００が出力するＡＶ信号は、ＤＶＤディスク２０８へと録画され、録画の際にはＡＶ信号の種類を表すビデオシグナル情報２１１もＤＶＤディスク２０８上へと書き込まれる。なお、これらのコンテンツリスト２０９，ビデオオブジェクト２１２，ビデオオブジェクト情報２１０，およびビデオシグナル情報２１１は、読み出しコマンドによってＳＴＢ１００が読み出すことができる。
【０００８】
次に、ＳＴＢ１００がＤＶＤディスク２０８上に記録されているコンテンツを再生させる場合の動作について説明する。ＳＴＢ１００は読み出しコマンド（図示せず）を用いてＤＶＤディスク２０８上のコンテンツリスト２０９を読み出し、コンテンツリスト２０９上に記録されているビデオオブジェクト２１２の属性情報であるビデオオブジェクト情報２１０，ビデオシグナル情報２１１を順に読み出すことにより、目的のコンテンツがどのような種類のＡＶ信号で記録されているのかを知る。ＳＴＢ１００は、ビデオシグナル情報２１１から読み出したＡＶ信号の種類がＭＰＥＧ２−ＴＳであった場合には、ＳＴＢ１００がこの種類のＡＶ信号を入力してデコードすることが可能であると判断し、ディスクサブユニット２０７に再生動作を行わせようとする。具体的には、コンフィギュアコマンド（図示せず）をソースプラグ２０５に対して送信し、目的のビデオオブジェクト２１２をソースプラグ２０５と関連付ける。次にＳＴＢ１００はＤＶＤレコーダ２００に対して接続コマンド（図示せず）を送ることによってＤＶＤレコーダ２００のソースプラグ２０５と出力プラグ２０１とを接続する。そしてＳＴＢ１００がソースプラグ２０５に対して再生コマンド（図示せず）を送信すると、ディスクサブユニット２０７はビデオオブジェクト２１２を再生し、この再生信号はソースプラグ２０５および出力プラグ２０１を通じてＩＥＥＥ１３９４バス５０１上へと出力される。ＳＴＢ１００はＩＥＥＥ１３９４バス５０１から入力プラグ１０２を通じてこの再生信号を入力し、入力プラグ１０２から入力した再生信号をデスティネーションプラグ１０６へ入力することによってチューナサブユニット１０９がこの再生信号をデコードしてアナログ信号にする。このアナログ信号はアナログ出力１０５からアナログ出力端子１０８を通じて出力され、ＴＶ５００のアナログ入力端子５０２からＴＶ５００へ入力されることによって視聴者がこれを見ることができる。
【０００９】
【発明が解決しようとする課題】
上記従来の記録再生システムにおいては、ＤＶＤレコーダ２００に記録させることのできる信号の形式はＩＥＥＥ１３９４バス５０１を介して伝送可能なデジタル信号形式に限られており、これ以外の例えばアナログ入力した信号をＤＶＤディスク２０８に記録させることができないという課題がある。
【００１０】
また上記従来の記録再生システムにおいては、ＤＶＤディスク２０８上に記録されているコンテンツの信号形式がＩＥＥＥ１３９４バス５０１に対して出力できない種類の信号、例えばＭＰＥＧ２−ＰＳ信号であった場合には、ＤＶＤレコーダ２００はこのコンテンツをＩＥＥＥ１３９４バス５０１上へは出力することができず、このコンテンツを再生したとしてもＳＴＢ１００は再生信号を入力することができずに、視聴者がＴＶ５００でこれを見ることができないという課題がある。
【００１１】
また上記従来の記録再生システムにおいては、ＤＶＤディスク２０８に記録されているオブジェトの信号形式が、ＤＶＤレコーダ２００にとってデジタル出力可能な種類の信号であるのかどうかが、ビデオシグナル情報２１１を読み出さない限り判別不可能であり、再生のための手順が煩雑であるという課題がある。
【００１２】
本発明は、ＤＶＤレコーダが入力したアナログ信号を、ＳＴＢが指定する信号形式に変換して記録させることが可能な映像音声記録システムを提供することを目的とする。
【００１３】
また本発明は、ＤＶＤディスクに記録されている、ＩＥＥＥ１３９４バス上へ出力することができない形式のコンテンツを、視聴者がＴＶで見ることが可能な映像音声再生システムを提供することを目的とする。
【００１４】
また本発明は、ＳＴＢがビデオシグナル情報を読み出さずとも、ＤＶＤレコーダがＤＶＤディスクに記録されているコンテンツをデジタル出力することが可能か否かを判別可能な再生装置を提供することを目的とする。
【００１５】
【課題を解決するための手段】
上記課題を解決するために、本発明（請求項１）は、アナログ映像音声信号を、複数あるうちのいずれか一つの種類のデジタル映像音声データに変換して記録する記録装置と、前記記録装置が前記アナログ映像音声信号を入力する際に用いるデスティネーションプラグに対して、前記デジタル映像音声データの種類を示す信号モード識別情報を設定する記録制御装置とからなる映像音声記録システムであって、前記記録装置は、入力したアナログ映像音声信号を、前記デスティネーションプラグに設定された前記信号モード識別情報に対応する種類のデジタル映像音声データに変換して記録するとともに、前記信号モード識別情報を、前記デジタル映像音声データに付随する情報として保存するものである。
【００１６】
また、本発明（請求項２）は、デジタル映像音声データを再生する再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えたものである。
【００１７】
また、本発明（請求項３）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力するものである。
【００１８】
また、本発明（請求項４）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力する再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えたものである。
【００１９】
また、本発明（請求項５）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、前記デジタル映像音声データを前記バス上へ出力するのに用いる出力プラグを出力不可能状態へと遷移させることにより前記バスへの出力を行わないものである。
【００２０】
また、本発明（請求項６）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、前記デジタル映像音声データを前記バス上へ出力するのに用いる出力プラグを出力不可能状態へと遷移させることにより前記バスへの出力を行わない再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えたものである。
【００２１】
【発明の実施の形態】
以下に、本発明の実施の形態について図面を参照して説明する。
（実施の形態１）
まず、本発明の実施の形態１について説明する。
図１は、本発明の実施の形態１による映像音声記録再生システムの構成を示す。図１において、図４と同一符号は同一又は相当部分を示す。ＳＴＢ１００にはアナログ入力端子１１０があり、外部からのアナログ信号を入力する。またＳＴＢ１００にはアナログ出力切替スイッチ１１１があり、このスイッチはアナログ出力端子１０８へと出力するアナログ信号を選択するのに用いられる。具体的にはＳＴＢ１００は、チューナサブユニット１０９がアナログ出力１０５から出力するアナログ信号と、ＳＴＢ１００がアナログ入力端子１１０から入力するアナログ信号とをアナログ出力切り替えスイッチ１１１で選択して、アナログ出力端子１０８へと出力する。
【００２２】
ＤＶＤレコーダ２００にはアナログチューナ２１３がある。アナログチューナ２１３は機器外部の地上波アンテナからアンテナ入力端子２１５およびアンテナ入力２１４を介してアンテナ信号を入力し、チューナ出力２２４からアナログ信号を出力する。ディスクサブユニット２０７のデスティネーションプラグ２０６は、ＳＴＢ１００からの接続コマンド（図示せず）によって、入力プラグ２０２またはチューナ出力２２４のいずれか一方と接続されることにより、映像音声信号を入力する。
【００２３】
ディスクサブユニット２０７の内部にはエンコード切替部２１９がある。エンコード切替部２１９は内部にＭＰＥＧ２−ＰＳエンコーダ２１７とＭＰＥＧ２−ＴＳエンコーダ２１８とがあり、切替スイッチ２２５によって、エンコーダ入力２２６から入力した信号をどのようにエンコーダ出力２２７へと出力するかを切り替える。具体的には、エンコーダ入力２２６から入力した信号を、ＭＰＥＧ２−ＴＳ信号としてエンコードして出力するか、ＭＰＥＧ２−ＰＳ信号としてエンコードして出力するか、または何もエンコードを行わず出力するかのいずれかをエンコード切替スイッチ２２５によって選択する。
【００２４】
ＤＶＤレコーダ２００にはデコーダ２１６がある。このデコーダ２１６はＤＶＤディスク２０８上のコンテンツが再生される際には、そのコンテンツがＭＰＥＧ２−ＴＳ形式でエンコードされている場合であれ、またＭＰＥＧ２−ＰＳ形式でエンコードされている場合であれ、いずれの場合にも当該コンテンツをアナログ信号にデコードしてアナログ出力端子２０４へと出力する。アナログ出力端子２０４はＳＴＢ１００のアナログ入力端子１１０へと接続されている。
【００２５】
以下、ＳＴＢ１００がＤＶＤレコーダ２００を制御し、アナログチューナ２１３がチューナ出力２２４から出力するアナログ信号をＤＶＤディスク２０８上に記録させる手順について説明する。
【００２６】
まずＳＴＢ１００はＤＶＤレコーダ２００に対して接続コマンド（図示せず）を送信し、機器内部の接続切り替えを行う。ここで接続コマンドとは、本実施の形態１のように、ディスクサブユニット２０７のデスティネーションプラグ２０６に対して接続される可能性のある信号源または入力プラグが複数ある場合に、いずれの信号源または入力プラグをデスティネーションプラグに接続するかを指示する際に用いられるコマンドである。具体的に本実施の形態１では、アナログチューナ２１３のチューナ出力２２４と、ディスクサブユニット２０７のデスティネーションプラグ２０６とを、接続コマンドを送信することによって接続させる。
【００２７】
次にＳＴＢ１００は上記デスティネーションプラグ２０６に対してコンフィギュアコマンド（図示せず）を送信し、デスティネーションプラグ２０６から記録を行わせたい信号の形式を指定する。具体的には、チューナ出力２２４から入力したアナログ信号を、ＭＰＥＧ２−ＴＳ形式にエンコードさせてＤＶＤディスク２０８に記録させたいのか、またはＭＰＥＧ２−ＰＳ形式にエンコードさせてＤＶＤディスク２０８に記録させたいのかを指定する。
【００２８】
デスティネーションプラグ２０６に対してのコンフィギュアコマンドを受信したディスクサブユニット２０７は、コンフィギュアコマンドによって指定された信号形式に応じてエンコード切替部２１９の中の切り替えスイッチ２２５を切り替えることにより、ＭＰＥＧ２−ＰＳエンコーダ２１７またはＭＰＥＧ２−ＴＳエンコーダ２１８のいずれを用いて、入力したアナログ信号をデジタル信号にエンコードするのかを切り替える。ここでは、コンフィギュアコマンドによってＭＰＥＧ２−ＰＳ形式が指定された場合について説明する。ＳＴＢ１００がデスティネーションプラグ２０６に対して記録コマンド（図示せず）を送信すると、ディスクサブユニット２０７はデスティネーションプラグ２０６からエンコード切替部２１９を経由して入力しているＭＰＥＧ２−ＰＳ信号をＤＶＤディスク２０８上へ記録開始するとともに、ＤＶＤディスク２０８上に存在するコンテンツリスト２０９上に新しいビデオオブジェクト２１２を追加する。これと同時にビデオオブジェクト２１２の属性情報であるビデオオブジェクト情報２１０もまた、ディスクサブユニット２０７によってＤＶＤディスク２０８上へと書き込まれる。このビデオオブジェクト情報２１０にはビデオシグナル情報２１１が含まれており、ディスクサブユニット２０７はこのビデオシグナル情報２１１には、現在記録中であるＭＰＥＧ２−ＰＳを示すデータを書き込む。これら一連のコンテンツリスト２０９，ビデオオブジェクト２１２，ビデオオブジェクト情報２１０，およびビデオシグナル情報２１１は、全てＩＥＥＥ１３９４バス５０１上からＳＴＢ１００によって読み出すことが可能である。
【００２９】
次にＳＴＢ１００がＤＶＤレコーダ２００をＩＥＥＥ１３９４バス５０１経由で制御することにより、ＤＶＤディスク２０８上に記録された、ＭＰＥＧ２−ＰＳ形式で記録されたコンテンツを再生させるときの動作について説明する。なお、ＭＰＥＧ２−ＴＳ形式で記録されたコンテンツを再生させるときの動作については既に説明したので、ここでは説明を省略する。
【００３０】
ＳＴＢ１００がＤＶＤディスク２０８を再生させようとする際には、まずディスクサブユニット２０７に対して読み出しコマンドを送信することにより、コンテンツリスト２０９，ビデオオブジェクト２１２，ビデオオブジェクト情報２１０およびビデオシグナル情報２１１を読み出す。これらの情報を読み出したＳＴＢ１００は、コンテンツリスト２０９に記載されているビデオオブジェクト２１２の記録されている信号形式が、ＭＰＥＧ２−ＰＳ形式であることを知る。ＭＰＥＧ２−ＰＳ形式のデジタル信号はＩＥＥＥ１３９４バス５０１上で伝送するための規格が存在しないため、ＩＥＥＥ１３９４バス５０１経由でＳＴＢ１００が入力することはできない。そこでＳＴＢ１００は、アナログ出力切替スイッチ１１１を切り替えて、アナログ入力端子１１０から入力したアナログ信号をアナログ出力端子１０８へと出力できるようにしたのち、ビデオオブジェクト２１２を再生させる再生コマンド（図示せず）をディスクサブユニット２０７に対して送信する。ディスクサブユニット２０７はこの再生コマンドを受けて、ビデオオブジェクト２１２の再生を開始する。デコーダ２１６は、ＤＶＤディスク２０８上のコンテンツを再生する際には常に再生信号をアナログ信号にデコードし、アナログ出力端子２０４に出力を行っているので、ＳＴＢ１００がアナログ出力切替スイッチ１１１を切り替えてアナログ入力端子１１０からの入力をアナログ出力端子１０８へと出力することにより、視聴者は当該コンテンツをＴＶ５００上で視聴する。
【００３１】
以上のような本実施の形態１の映像音声記録再生システムは、アナログ映像音声信号を、複数あるうちのいずれか一つの種類のデジタル映像音声データに変換して記録する記録装置（ＤＶＤレコーダ２００）と、前記記録装置が前記アナログ映像音声信号を入力する際に用いるデスティネーションプラグに対して前記デジタル映像音声データの種類を示す信号モード識別情報を設定する記録制御装置（ＳＴＢ１００）とからなる映像音声記録システムであって、前記記録装置は、入力したアナログ映像音声信号を、前記デスティネーションプラグに設定された前記信号モード識別情報に対応する種類のデジタル映像音声データに変換して記録するとともに、前記信号モード識別情報を、前記デジタル映像音声データに付随する情報として保存する映像音声記録再生システムを構成するものであり、ＤＶＤレコーダが入力したアナログ信号を、ＳＴＢが指定する信号形式に変換して、記録させることができる効果が得られる。
【００３２】
また、本実施の形態１の映像音声記録再生システムは、デジタル映像音声データを再生する再生装置（ＤＶＤレコーダ２００）と、前記再生装置から読み出した、前記デジタル映像音声データの信号の種類を示す信号モード識別情報に基づき、前記デジタル映像音声データが当該再生制御装置（ＳＴＢ１００）のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置（ＳＴＢ１００）とを備えた映像音声再生システムを構成するものであり、ＩＥＥＥ１３９４バス上へ出力することができない形式のコンテンツを、視聴者がＴＶで見ることが可能となる効果が得られる。
【００３３】
（実施の形態２）
次に、本発明の実施の形態２について説明する。
図２に、本実施の形態２による映像音声記録再生システムの構成を示す。図２において、図４と同一符号は同一又は相当部分を示す。デコーダ２１６は、デコード中のデジタル信号の種別に応じて、デコード中のデジタル信号がデジタル出力可能な種類のデジタル信号であるのか否かを識別してエンプティパケット切り替え信号２２１として出力する。具体的には、デコーダ２１６がデコードしているデジタル信号がＭＰＥＧ２−ＴＳ信号である場合には、これをデジタル出力することが可能であると判断して、デジタル出力可能に対応する状態をエンプティパケット切り替え信号２２１として出力する。また、デコーダ２１６がデコードしているデジタル信号がＭＰＥＧ２−ＰＳ信号である場合には、これをデジタル出力することが不可能であると判断して、デジタル出力不可能に対応する状態をエンプティパケット切り替え信号２２１として出力する。エンプティパケット発生部２２０は、出力プラグ２０１を介してＩＥＥＥ１３９４バス５０１上へ出力するためのエンプティパケットを生成する。ここでいうエンプティパケットとは、ＡＶ信号を含まず、ヘッダ領域のみで構成される、等時性通信用のパケットのことである。エンプティパケット切替部２２２は、デコーダ２１６の出力するエンプティパケット切替信号２２１に基づいて、ＤＶＤディスク２０８から再生しているデジタル信号またはエンプティパケット発生部２２０で生成したエンプティパケットを選択し、ソースプラグ２０５へと出力する。すなわち、エンプティパケット切り替え信号２２１の指し示す状態がデジタル出力可能に対応する状態であればＤＶＤディスク２０８から再生しているデジタル信号を出力プラグ２０１へと出力し、また、エンプティパケット切り替え信号２２１の指し示す状態がデジタル出力不可能に対応する状態であればエンプティパケット発生部２２０の出力するエンプティパケットを出力プラグ２０１へと出力する。
【００３４】
エンプティパケット検出部１１２は、入力プラグ１０２から入力している等時性通信データがエンプティパケットであるか否かを識別し、その識別結果に基づきアナログ出力切替スイッチ１１１を切り替える。すなわち、入力プラグ１０２からエンプティパケットを入力している間はアナログ入力端子１１０から入力したアナログ信号をアナログ出力端子１０８へと出力させ、入力プラグ１０２からエンプティパケット以外の等時性通信データを入力している間はアナログ出力１０５の出力をアナログ出力端子１０８へ出力させる。
【００３５】
次にＳＴＢ１００がＤＶＤレコーダ２００をＩＥＥＥ１３９４バス５０１経由で制御することにより、ＤＶＤディスク２０８上に記録されているコンテンツを再生させるときの動作について説明する。ＳＴＢ１００がＤＶＤディスク２０８を再生させようとする際には、まずディスクサブユニット２０７に対して読み出しコマンドを送信することにより、コンテンツリスト２０９を読み出す。読み出したコンテンツリスト２０９の中にビデオオブジェクト２１２が存在することをＳＴＢ１００は知り、これを再生させるために再生コマンド（図示せず）をディスクサブユニット２０７へと送信する。この時点でＳＴＢ１００は、再生を開始させたビデオオブジェクト２１２の信号形式を知らないので、ビデオオブジェクト２１２の再生出力がＩＥＥＥ１３９４バス５０１から出力されるのか否かを知らない。デコーダ２１６は、再生しているビデオオブジェクト２１２の信号形式を検出し、エンプティパケット切替部２２２を制御する。すなわち、デコーダ２１６のデコードしている信号がＭＰＥＧ２−ＴＳ信号であるときにはＤＶＤディスク２０８の再生出力を出力プラグ２０１に出力させ、ＭＰＥＧ２−ＰＳ信号であるときにはエンプティパケット発生部２２０の生成するエンプティパケットを出力プラグ２０１へと出力させる。
【００３６】
エンプティパケット検出部１１２は、ＩＥＥＥ１３９４バス５０１経由で送られてくる等時性通信データがエンプティパケットであるかどうかを検出し、アナログ出力切替スイッチ１１１を制御する。すなわち、エンプティパケットが送られてきているときにはアナログ入力端子１１０から入力したアナログ信号をアナログ出力端子１０８へ出力させ、また、エンプティパケット以外の等時性通信データが送られてきているときにはアナログ出力１０５の出力をアナログ出力端子１０８へと出力させる。
【００３７】
これにより、ビデオオブジェクト２１２の信号形式がＭＰＥＧ２−ＰＳ信号であった場合には、デコーダ２１６の出力するアナログ信号はアナログ出力端子２０４，アナログ入力端子１１０，アナログ切替スイッチ１１１およびアナログ出力端子１０８を経由してＴＶ５００に入力され、視聴者はこれを視聴する。また、ビデオオブジェクト２１２の信号形式がＭＰＥＧ２−ＴＳ信号であった場合には、ＤＶＤディスク２０８の再生出力はソースプラグ２０５，出力プラグ２０１，ＩＥＥＥ１３９４バス５０１，入力プラグ１０２，デスティネーションプラグ１０６を経由してチューナサブユニット１０９に入力され、チューナサブユニット１０９はこのＭＰＥＧ２−ＴＳ信号をデコードしてアナログ出力１０５から出力し、この出力はアナログ信号切替スイッチ１１１およびアナログ出力端子１０８を経由してＴＶ５００に入力され、視聴者はこれを視聴する。
【００３８】
以上のような本実施の形態２による映像音声記録再生システムは、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力する再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた映像音声再生システムを構成するものであり、ＤＶＤレコーダが入力したアナログ信号を、ＳＴＢが指定する信号形式に変換して記録させることができる映像音声記録再生システムを得ることが可能となる。
【００３９】
また、本実施の形態２における再生装置は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力するものとしたので、ＳＴＢ１００がビデオシグナル情報２１１を読み出さずとも、ＤＶＤレコーダ２００がコンテンツをデジタル出力するか否かを判別可能な再生装置を得ることができる。
【００４０】
（実施の形態３）
次に、本発明の実施の形態３について説明する。
図３に、本実施の形態３による映像音声記録再生システムの構成を示す。図３において、図４と同一符号は同一又は相当部分を示す。デコーダ２１６は、デコード中のデジタル信号の種別に応じて、デコード中のデジタル信号がデジタル出力可能な種類のデジタル信号であるのか否かを識別してオフライン切替信号２２３として出力する。具体的には、デコーダ２１６がデコードしているデジタル信号がＭＰＥＧ２−ＴＳ信号である場合には、これをデジタル出力することが可能であると判断して、デジタル出力可能に対応する状態をオフライン切替信号２２３として出力する。また、デコーダ２１６がデコードしているデジタル信号がＭＰＥＧ２−ＰＳ信号である場合には、これをデジタル出力することが不可能であると判断して、デジタル出力不可能に対応する状態をオフライン切替信号２２３として出力する。出力プラグ２０１は、ＩＥＣ−６１８８３規格にて規定されている　Ｏｕｔｐｕｔ　Ｐｌｕｇ　Ｃｏｎｔｒｏｌ　Ｒｅｇｉｓｔｅｒ　（以下、ＯＰＣＲ　と略記する）である。ＯＰＣＲ　にはその動作や属性をあらわす領域があり、その中の　ｏｎ−ｌｉｎｅ　領域は当該　ＯＰＣＲが等時性通信データを出力することが可能かどうかを表している。すなわち、出力プラグ２０１の　ｏｎ−ｌｉｎｅ領域が値０の時には出力プラグ２０１からは等時性データは出力されない。またこの　ｏｎ−ｌｉｎｅ　領域は、機器内部からのみ書き換えが可能であるが、読み出しにおいては機器外部から読み出すことが可能である。すなわち、ＳＴＢ１００がＤＶＤレコーダ２００の出力プラグ２０１のレジスタの内容を非同期通信を用いて読み出し、ｏｎ−ｌｉｎｅ　領域の値を知ることが可能である。出力プラグ２０１の　ｏｎ−ｌｉｎｅ　領域は、オフライン切替信号２２３によって書き換えられる。すなわち、オフライン切替信号２２３がデジタル出力可能に対応する状態であるときにはｏｎ−ｌｉｎｅ　領域の値は１であり、逆にオフライン切替信号２２３がデジタル出力不可能に対応する状態であるときには　ｏｎ−ｌｉｎｅ　領域の値は０である。
【００４１】
オフライン検出部１１４は出力プラグ２０１の　ｏｎ−ｌｉｎｅ　領域の値を非同期通信を用いて読み出し、その読み出し結果に基づきアナログ出力切替スイッチ１１１を切り替える。すなわち、出力プラグ２０１の　ｏｎ−ｌｉｎｅ　領域の値が０である間はアナログ入力端子１１０から入力したアナログ信号をアナログ出力端子１０８へと出力させ、出力プラグ２０１の　ｏｎ−ｌｉｎｅ　領域の値が１である間はアナログ出力１０５の出力をアナログ出力端子１０８へ出力させる。
【００４２】
次にＳＴＢ１００がＤＶＤレコーダ２００をＩＥＥＥ１３９４バス５０１経由で制御することにより、ＤＶＤディスク２０８上に記録されているコンテンツを再生させるときの動作について説明する。ＳＴＢ１００がＤＶＤディスク２０８を再生させようとする際には、まずディスクサブユニット２０７に対して読み出しコマンドを送信することにより、コンテンツリスト２０９を読み出す。読み出したコンテンツリスト２０９の中にビデオオブジェクト２１２が存在することをＳＴＢ１００は知り、これを再生させるために再生コマンド（図示せず）をディスクサブユニット２０７へと送信する。この時点でＳＴＢ１００は、再生を開始させたビデオオブジェクト２１２の信号形式を知らないので、ビデオオブジェクト２１２の再生出力がＩＥＥＥ１３９４バス５０１から出力されるのか否かを知らない。デコーダ２１６は、再生しているビデオオブジェクト２１２の信号形式を検出し、オフライン切替信号２２３を出力することにより出力プラグ２０１の　ｏｎ−ｌｉｎｅ　領域の値を書き換える。すなわち、デコーダ２１６のデコードしている信号がＭＰＥＧ２−ＴＳ信号であるときには　ｏｎ−ｌｉｎｅ　領域の値を１にし、ＭＰＥＧ２−ＰＳ信号であるときには出力プラグ２０１の　ｏｎ−ｌｉｎｅ　領域の値を０にする。
【００４３】
オフライン検出部１１４は、出力プラグ２０１の　ｏｎ−ｌｉｎｅ　領域の値を読み出し、アナログ出力切替スイッチ１１１を制御する。すなわち、出力プラグ２０１の　ｏｎ−ｌｉｎｅ　領域の値が０であるときにはアナログ入力端子１１０から入力したアナログ信号をアナログ出力端子１０８へ出力させ、また、出力プラグ２０１のｏｎ−ｌｉｎｅ　領域の値が１であるときにはアナログ出力１０５の出力をアナログ出力端子１０８へと出力させる。
【００４４】
これにより、ビデオオブジェクト２１２の信号形式がＭＰＥＧ２−ＰＳ信号であった場合には、デコーダ２１６の出力するアナログ信号はアナログ出力端子２０４，アナログ入力端子１１０，アナログ切替スイッチ１１１およびアナログ出力端子１０８を経由してＴＶ５００に入力され、視聴者はこれを視聴する。また、ビデオオブジェクト２１２の信号形式がＭＰＥＧ２−ＴＳ信号であった場合には、ＤＶＤディスク２０８の再生出力はソースプラグ２０５，出力プラグ２０１，ＩＥＥＥ１３９４バス５０１，入力プラグ１０２，デスティネーションプラグ１０６を経由してチューナサブユニット１０９に入力され、チューナサブユニット１０９はこのＭＰＥＧ２−ＴＳ信号をデコードしてアナログ出力１０５から出力し、この出力はアナログ信号切替スイッチ１１１およびアナログ出力端子１０８を経由してＴＶ５００に入力され、視聴者はこれを視聴する。
【００４５】
以上のような実施の形態３の映像音声記録再生システムは、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、前記デジタル映像音声データを前記バス上へ出力するのに用いる出力プラグを出力不可能状態へと遷移させることにより前記バスへの出力を行わない再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた映像音声再生システムを構成するものであり、ＤＶＤレコーダが入力したアナログ信号を、ＳＴＢが指定する信号形式に変換して記録させることができる映像音声記録再生システムを得ることが可能となる。
【００４６】
また、本実施の形態３の再生装置は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、前記デジタル映像音声データを前記バス上へ出力するのに用いる出力プラグを出力不可能状態へと遷移させることにより前記バスへの出力を行わないものとしたので、ＳＴＢ１００がビデオシグナル情報２１１を読み出さずとも、ＤＶＤレコーダ２００がコンテンツをデジタル出力するか否かを判別可能な再生装置を得ることができる。
【００４７】
【発明の効果】
以上説明したところから明らかなように、本願第１の発明（請求項１に対応）は、アナログ映像音声信号を、複数あるうちのいずれか一つの種類のデジタル映像音声データに変換して記録する記録装置と、記録装置が前記アナログ映像音声信号を入力する際に用いるデスティネーションプラグに対して前記デジタル映像音声データの種類を示す信号モード識別情報を設定する記録制御装置とからなる映像音声記録システムであって、記録装置は入力したアナログ映像音声信号を、デスティネーションプラグに設定された信号モード識別情報に対応する種類のデジタル映像音声データに変換して記録するとともに、信号モード識別情報をデジタル映像音声データに付随する情報として保存することを特徴とする映像音声記録システムであり、アナログ映像音声信号を、ＩＥＥＥ１３９４バス５０１を介して伝送可能な信号形式以外のデジタル映像音声データに変換して記録装置に記録させることが可能になるという優れた効果がある。
【００４８】
また本願第２の発明（請求項２に対応）は、デジタル映像音声データを再生する再生装置と、再生装置から読み出した、デジタル映像音声データの信号の種類を示す信号モード識別情報に基づき、デジタル映像音声データが再生制御装置のデジタル入力可能な種類のデジタル映像音声データであった場合にはデジタル映像音声データをバス上へデジタルデータとして出力させるとともに再生装置の出力するデジタル映像音声データをバス上から入力し、デジタル映像音声データが再生制御装置のデジタル入力不可能な種類のデジタル映像音声データであった場合にはデジタル映像音声データをバス上へは出力させずにアナログ映像音声信号へと変換して再生装置のアナログ出力端子に出力させるとともに、再生装置の出力するアナログ映像音声信号を、再生制御装置のアナログ入力端子から入力する再生制御装置とからなることを特徴とする映像音声再生システムであり、記録装置上に記録されているデジタル映像音声データがＩＥＥＥ１３９４バス上を伝送不可能な形式であった場合にも、再生制御装置の入力をアナログ入力に切り替えることによって視聴者はこれを視聴することができるようになるという優れた効果がある。
【００４９】
また本願第３の発明（請求項３に対応）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力するものとしたので、ＳＴＢ１００がビデオシグナル情報２１１を読み出さずとも、ＤＶＤレコーダ２００がコンテンツをデジタル出力するか否かを判別可能な再生装置を得ることができる効果がある。
【００５０】
また本願第４の発明（請求項４に対応）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグから空データを出力する再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた映像音声再生システムであるものとしたので、ＳＴＢ１００がビデオシグナル情報２１１を読み出さずとも、ＤＶＤレコーダ２００がコンテンツをデジタル出力するか否かを判別可能な再生装置を得ることができる効果がある。
【００５１】
また、本願第５の発明（請求項５に対応）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて、該デジタル映像音声データが前記再生装置がデジタル出力可能な種類の前記デジタル映像音声データであるか否かを識別し、前記再生装置がデジタル出力可能な種類の前記デジタル映像音声データは、これをバス上へ出力し、前記再生装置がデジタル出力不可能な種類の前記デジタル映像音声データは、これをアナログ映像音声信号に変換してアナログ出力端子へと出力するとともに、前記デジタル映像音声データを前記バス上へ出力するのに用いる出力プラグを出力不可能状態へ遷移させることにより前記バスへの出力を行なわない再生装置であるものとしたので、ＳＴＢ１００がビデオシグナル情報２１１を読み出さずとも、ＤＶＤレコーダ２００がコンテンツをデジタル出力するか否かを判別可能な再生装置を得ることができる効果がある。
【００５２】
また、本願第６の発明（請求項６に対応）は、記録媒体上に記録されたデジタル映像音声データを再生する再生装置であって、各々の前記デジタル映像音声データにはその信号の種類を示す信号モード識別情報が付随し、前記デジタル映像音声データの再生の際には、対応する前記信号モード識別情報の内容に基づいて前記再生装置がデジタル出力可能な種類の前記デジタル映像音声データであるか否かを識別し、前記再生装置がデジタル出力可能な種類の前記デジタル映像音声データは、バス上へ出力し、前記再生装置がデジタル出力不可能な種類の前記デジタル映像音声データである場合には、これをアナログ映像音声信号に変換してアナログ出力端子へと出力するとともに、前記デジタル映像音声データを前記バス上へ出力するのに用いる出力プラグを出力不可能状態へと遷移させることにより前記バスへの出力を行わない再生装置と、前記再生装置から読み出した、前記デジタル映像音声データの信号の種類を示す信号モード識別情報に基づき、前記再生装置から読み出した前記デジタル映像音声データが当該再生制御装置のデジタル入力可能な種類の前記デジタル映像音声データであった場合には、前記デジタル映像音声データをバス上へデジタルデータとして出力させるとともに、前記再生装置の出力する前記デジタル映像音声データを前記バス上から入力し、前記再生装置から読み出した前記デジタル映像音声データが、当該再生制御装置のデジタル入力不可能な種類の前記デジタル映像音声データであった場合には、前記デジタル映像音声データを前記バス上へは出力させずにアナログ映像音声信号へと変換して前記再生装置のアナログ出力端子に出力させるとともに、前記再生装置の出力する前記アナログ映像音声信号を、前記再生制御装置のアナログ入力端子から入力する再生制御装置とを備えた映像音声再生システムであるものとしたので、ＳＴＢ１００がビデオシグナル情報２１１を読み出さずとも、ＤＶＤレコーダ２００がコンテンツをデジタル出力するか否かを判別可能な再生装置を得ることができる効果がある。
【図面の簡単な説明】
【図１】本発明の第１の実施の形態における映像音声記録再生システムの構成図
【図２】本発明の第２の実施の形態における映像音声記録再生システムの構成図
【図３】本発明の第３の実施の形態における映像音声記録再生システムの構成図
【図４】従来の映像音声記録再生システムの構成図
【符号の説明】
１００　ＳＴＢ（セットトップボックス）
１０１　出力プラグ
１０２　入力プラグ
１０３　アンテナ入力端子
１０４　アンテナ入力
１０５　アナログ出力
１０６　デスティネーションプラグ
１０７　ソースプラグ
１０８　アナログ出力端子
１０９　チューナサブユニット
１１０　アナログ入力端子
１１１　アナログ出力切替スイッチ
１１２　エンプティパケット検出部
１１３　アナログ出力選択信号
１１４　オフライン検出部
１１５　アナログ出力選択信号
２００　ＤＶＤレコーダ
２０１　出力プラグ
２０２　入力プラグ
２０４　アナログ出力端子
２０５　ソースプラグ
２０６　デスティネーションプラグ
２０７　ディスクサブユニット
２０８　ＤＶＤディスク
２０９　コンテンツリスト
２１０　ビデオオブジェクト情報
２１１　ビデオシグナル情報
２１２　ビデオオブジェクト
２１３　アナログチューナ
２１４　アンテナ入力
２１５　アンテナ入力端子
２１６　デコーダ
２１７　ＭＰＥＧ２−ＰＳエンコーダ
２１８　ＭＰＥＧ２−ＴＳエンコーダ
２１９　エンコード切替部
２２０　エンプティパケット発生部
２２１　エンプティパケット切替信号
２２２　エンプティパケット切替部
２２３　オフライン切替信号
２２４　チューナ出力
２２５　切替スイッチ
２２６　エンコーダ入力
２２７　エンコーダ出力
５００　ＴＶ
５０１　ＩＥＥＥ１３９４バス
５０２　アナログ入力端子
【図１】
2004032322.tif 000003
【図２】
2004032322.tif 000004
【図３】
2004032322.tif 000005
【図４】
2004032322.tif 000006